(57)【要約】      （修正有）【課題】簡易な構造で防水性および水はけに優れた横葺屋根材を提供する。【解決手段】長手方向と短手方向を有する屋根材における長手方向の一側端に設けられ、長手方向の一側端が屋根材の表面側に折り返されて形成された第一折返部３１と、第一折返部３１がさらに長手方向外側に折り返されて形成された第二折返部３２と、第一折返部３１の短手方向一側端が切り欠かれて形成された切欠部３４と、を備えた長手方向下はぜ３０と、長手方向の他側端が屋根材の裏面側に折り返されることにより形成され、長手方向下はぜ３０と掛け合わされる長手方向上はぜと、短手方向一側端が切欠部３４と共に屋根材の裏面側に折り返されて形成された第三折返部２１と、を備えた。【選択図】図３
0003185418.tif 000002
【実用新案登録請求の範囲】
【請求項１】
長手方向と短手方向を有する屋根材における前記長手方向の一側端に設けられ、前記長手方向の一側端が前記屋根材の表面側に折り返されて形成された第一折返部と、前記第一折返部がさらに前記長手方向外側に折り返されて形成された第二折返部と、前記第一折返部の前記短手方向一側端が切り欠かれて形成された切欠部と、を備えた長手方向下はぜと、
前記長手方向の他側端が前記屋根材の裏面側に折り返されることにより形成され、他の前記屋根材の前記長手方向下はぜと掛け合わされる長手方向上はぜと、
前記短手方向一側端が前記切欠部と共に前記屋根材の裏面側に折り返されて形成された第三折返部と、を備えたことを特徴とする横葺屋根材。
【請求項２】
前記第三折返部と共に折り返された前記切欠部は、前記第三折返部の折り返しの厚みの範囲内に位置する請求項１記載の横葺屋根材。
【請求項３】
前記切欠部は、前記第一折返部の幅方向において直線または曲線状に傾斜して切り欠かれた請求項１または２記載の横葺屋根材。
【請求項４】
前記第三折返部と共に折り返された前記切欠部は、前記屋根材の裏面まで折り返された請求項１または３記載の横葺屋根材。
【請求項５】
前記第一折返部の幅は、前記第三折返部と共に折り返された前記切欠部の幅を除いた幅が、前記長手方向上はぜの折返しの幅よりも大きい請求項１〜４の何れか一項記載の横葺屋根材。
【請求項６】
前記第三折返部は、短手方向上はぜを形成する請求項１〜５の何れか一項記載の横葺屋根材。
【考案の詳細な説明】
【技術分野】
【０００１】
本考案は、横葺屋根材に関する。
【背景技術】
【０００２】
横葺屋根材を用いた工法の一つに、隣り合う各屋根材の上下左右端部に形成された「はぜ」を掛け合わせることにより屋根材を接続し、屋根上に設置する工法がある。
【０００３】
「はぜ」は、「下はぜ」と「上はぜ」とからなる。下はぜは、例えば、屋根材の長手方向（設置時における左右方向）および傾斜方向（設置時における上下方向）の一端を屋根材の表面側に折り返して形成される。上はぜは、長手方向および傾斜方向の他端を屋根材の裏面側に折り返して形成される。
【０００４】
例えば特許文献１における屋根材は、一の屋根材の係止ハゼ部５を、他の屋根材の下側からスライドさせてハゼ受片６に係止させることにより、これら２つの屋根材を横葺きして連結する。
【先行技術文献】
【特許文献】
【０００５】
【特許文献１】特開２０１０−１５５６０２号公報
【考案の概要】
【考案が解決しようとする課題】
【０００６】
特許文献１の屋根材においては、従屋根板２としての金属製板材の右側端が表面側に折り返され、ハゼ受片６が形成される。また、金属製板材の下端が裏面側に折り返され、下ハゼ部４が形成される。このとき、表面側に折り返された右側下端の長手方向における一定長さは、下ハゼ部と共に折り返される。
【０００７】
ここで、屋根材には、雨水などの水が屋根材の裏面（下方）に配置されたアスファルトルーフィング、野地板、ひいては屋内に浸入しないよう、防水性（一次防水）を備える必要がある。また、屋根材には、雨水などの水が屋根材にて留まらないよう軒方向に流す構造が求められる。
【０００８】
しかし、特許文献１に示すような屋根材においては、下ハゼ部と共に折り返される金属製板材の右側下端は、下ハゼ部の折り目方向において袋状に形成されてしまう。この袋状の折り目は、傾斜方向に流れる雨水などの水滴を軒方向へ流すことなく留めてしまう。雨水などの水が滞留することにより、大気中の腐食因子が濃縮され、隙間腐食や孔食に至る恐れがある。
【０００９】
本考案はこのような事情を考慮してなされたもので、簡易な構造で防水性および水はけに優れた横葺屋根材を提供することを目的とする。
【課題を解決するための手段】
【００１０】
本考案に係る横葺屋根材は、上述した課題を解決するために、長手方向と短手方向を有する屋根材における前記長手方向の一側端に設けられ、前記長手方向の一側端が前記屋根材の表面側に折り返されて形成された第一折返部と、前記第一折返部がさらに前記長手方向外側に折り返されて形成された第二折返部と、前記第一折返部の前記短手方向一側端が切り欠かれて形成された切欠部と、を備えた長手方向下はぜと、前記長手方向の他側端が前記屋根材の裏面側に折り返されることにより形成され、他の前記屋根材の前記長手方向下はぜと掛け合わされる長手方向上はぜと、前記短手方向一側端が前記切欠部と共に前記屋根材の裏面側に折り返されて形成された第三折返部と、を備えたことを特徴とする。
【考案の効果】
【００１１】
本考案に係る横葺屋根材においては、簡易な構造で優れた防水性および水はけを備えることができる。
【図面の簡単な説明】
【００１２】
【図１】本考案に係る横葺屋根材の平面図。
【図２】図１のII−II線に沿う断面図。
【図３】長手方向下はぜを特に示す平面図。
【図４】図３の下はぜを傾斜方向下端側から示す側面図。
【図５】長手方向上はぜを特に示す平面図。
【図６】図５の上はぜを傾斜方向下端側から示す側面図。
【図７】横葺き施工する場合の第１手順を示す説明図。
【図８】横葺き施工する場合の第２手順を示す説明図。
【図９】比較例としての横葺屋根材であって、特に長手方向下はぜを示す平面図。
【考案を実施するための形態】
【００１３】
本考案に係る横葺屋根材の一実施形態を添付図面に基づいて説明する。
【００１４】
図１は、本考案に係る横葺屋根材の実施形態の平面図である。
図２は、図１のII−II線に沿う断面図である。
図３は、長手方向下はぜ３０を特に示す平面図である。
図４は、図３の下はぜ３０を傾斜方向下端側から示す側面図である。
図５は、長手方向上はぜ４０を特に示す平面図である。
図６は、図５の上はぜ４０を傾斜方向下端側から示す側面図である。
【００１５】
横葺屋根材１は、横葺き用の屋根材である。屋根材１は、例えば耐食性に優れたガルバリウム鋼板、カラーステンレス鋼板などの金属によりプレス形成される。この屋根材１は、長手方向が数尺（例えば６，９，１２尺など）であり、所定のピッチであやめ折りにより折り返されることにより段部２が形成される。
【００１６】
屋根材１が屋根に設置される際の傾斜方向（長手方向に垂直な短手方向）の両端である図示上下端には、上下方向に隣り合う屋根材１を掛け合わせて接続するための一対の傾斜方向はぜ１０、２０が設けられる。傾斜方向上端には、傾斜方向下はぜ１０（以下単に「下はぜ１０」という場合がある。）が設けられ、下端には傾斜方向上はぜ２０（以下単に「上はぜ２０」という場合がある。）が設けられる
【００１７】
図３〜図５に示すように、下はぜ１０は、第一折返部１１と、第二折返部１２とを有する。第一折返部１１は、傾斜方向の上端が表面側に折り返されて形成される。第二折返部１２は、第一折返部１１がさらに傾斜方向の外側に折り返されて形成される。また、下はぜ１０は、水返し１３として外縁が内側にさらに折り返される。「水返し」とは、雨水などの瓦の上を流れる水を堰き止めるために設けられる突条である。上はぜ２０は、傾斜方向の下端が裏面側に折り返されて形成される第一折返部２１（第三折返部）を有する。また、上はぜ２０は、水返し２２として外縁がさらに外側に折り返される。
【００１８】
図１に示すように、屋根材１は、長手方向の両端である図示左右端には、左右方向に隣り合う屋根材１を掛け合わせて接続するための一対の長手方向はぜ３０、４０を有する。本実施形態においては、右端には長手方向下はぜ３０（以下単に「下はぜ３０」という場合がある。）が設けられ、左端には長手方向上はぜ４０（以下単に「上はぜ４０」という場合がある。）が設けられる。
【００１９】
図３および図４に特に示すように、長手方向下はぜ３０は、屋根材１の一側端である右端に設けられる。下はぜ３０は、第一折返部３１と、第二折返部３２とを有する。第一折返部３１は、長手方向の右端が屋根材１の表面側に折り返されて形成される。第二折返部３２は、第一折返部３１がさらに長手方向外側に折り返されて形成される。また、下はぜ３０は、水返し３３として外縁が表面側にさらに内側に折り返される。
【００２０】
第一折返部３１は、傾斜（短手）方向一側端である下端が、第一折返部３１の幅方向において右端が長くなるよう傾斜して切り欠かれた切欠部３４を有する。この切欠部３４は、傾斜方向上はぜ２０の第一折返部２１の一部を形成する。すなわち、長手方向下はぜ３０の第一折返部３１の傾斜方向一側端である下端における長手方向辺の一部は、屋根材１の裏面側に折り返されて傾斜方向上はぜ２０の第一折返部２１（第三折返部）として形成される。さらに言い換えると、長手方向下はぜ３０の第一折返部３１は、傾斜方向上はぜ２０を形成するための第一折返部２１と共に折り返される。
【００２１】
屋根材１の板厚があるために、傾斜方向上はぜ２０が裏面側に折り返された際に、実際には図４に示すような厚みｄが形成される。傾斜方向上はぜ２０と共に折り返された切欠部３４の一部は、厚みｄの範囲に位置する。言い換えると、切欠部３４が、長手方向下はぜ３０の第一折返部３１右端と接続する接続位置３５は、この傾斜方向上はぜ２０の第一折返部２１の厚みの範囲に形成されることになる。
【００２２】
第一折返部３１の屋根材長手方向の幅は、傾斜方向上はぜ２０の第一折返部２１と共に折り返された切欠部３４の幅を除いた幅が、長手方向上はぜ４０の長手方向の幅よりも大きいことが好ましい。
【００２３】
図５および図６（図６の上はぜ２０の一部は省略）に特に示すように、長手方向上はぜ４０は、屋根材１の他端側である左端に設けられる。上はぜ４０は、裏面側に折り返されて形成される第一折返部４１を有する。第一折返部４１は、下はぜ３０と掛け合わされる際の作業性の観点から、上はぜ４０の傾斜方向上端に折返し幅の方向に傾斜４３が形成されている。
【００２４】
次に、屋根材１を横葺き施工する場合の手順を、図７および図８により説明する。図７および図８においては、左屋根材１ａのかくれ線を点線で、屋根材１ｂのかくれ線を一点鎖線で示した。
【００２５】
左屋根材１ａおよび右屋根材１ｂは、図示しない屋根の野地板に設置される。左屋根材１ａは、すでに設置された図示しない屋根材に対して長手方向上はぜで掛け合わされ接続された状態である。また、傾斜方向上はぜ２０ａは、傾斜方向下方に設置された図示しない他の屋根材の上はぜに掛け合わされており、左屋根材１ａは傾斜方向上はぜ２０ａにおいて下方の屋根材上に重なり合った状態である。また、傾斜方向下方および上方に隣接する屋根材とは、長手方向下はぜ３０および上はぜ４０が掛け合わされた箇所である継手部が重ならないように千鳥状に配置される。さらに、左屋根材１ａは、傾斜方向下はぜ１０ａにおいて、複数個所で図示しないネジやビス、釘により構造的に有効な野地や垂木に固定されている。
【００２６】
この状態で、図７に示すように、右屋根材１ｂの長手方向上はぜ４０ｂが左屋根材１ａの長手方向下はぜ３０ａの下端に掛け合わされ、右屋根材１ｂは下方から上方へスライドされる。上はぜ４０ｂには傾斜４３が設けられているため、折り返された切欠部３４ａがある場合であっても、容易に掛け合わせることができる。図８に示すように、右屋根材１ｂが所定位置までスライドされると、右屋根材１ｂの傾斜方向上はぜ２０ｂは左屋根材１ａの上はぜ２０ａと掛かり合い、固定される。
【００２７】
ここで、第一折返部３１ａの長手方向の幅は、上はぜ２０ａの第一折返部２１と共に折り返された幅を除いた幅が、上はぜ４０ｂの長手方向の幅よりも大きい。このため、上はぜ４０ｂが掛け合わされスライドされる際、切欠部３４ａが上はぜ４０ｂを掛け合わせる動作やスライド動作に対して影響を及ぼさず、隣り合う屋根材１ａ、１ｂの接続時の作業性を向上させることができる。
【００２８】
このようにして接続された屋根材１は、屋根に設置された際に防水性および水はけに優れた屋根材となる。本実施形態における屋根材１の作用効果を比較例としての屋根材を用いて説明する。
【００２９】
図９は、比較例としての横葺屋根材１００であって、特に長手方向下はぜ１０１を示す平面図である。
【００３０】
この横葺屋根材１００は、長手方向下はぜ１０１に掛け合わされる他の屋根材の長手方向上はぜ（図示せず）が、傾斜方向下端部から上端部に向かってスライドされることにより、互いに接続される。
【００３１】
長手方向下はぜ１０１においては、長手方向の図示右端が表面側に折り返された第一折返部１０２が形成された後、さらに長手方向外側に折り返された第二折返部１０３が形成される。第一折返部１０２は、傾斜方向において切り欠かれた切欠部１０４を有する。
【００３２】
この切欠部１０４は、隣り合う屋根材１００のはぜを掛け合わせる際の作業性を向上させるため、第一折返部１０２の傾斜方向長さが屋根材１００の傾斜方向下端よりも短くなるよう切り欠かれた箇所である。
【００３３】
このような横葺屋根材１００は、このような切欠部１０４が形成されることにより、はぜを掛け合わせスライドされる際に第一折返部１０２が邪魔しないようになっている。
【００３４】
しかし、屋根材１００には、屋根材１００の裏側へ雨水などの水が浸入してしまうという欠点がある。すなわち、雨水などの水は、切欠部１０４の外縁に沿って長手方向端部（第一折返部１０２の右端部）まで到達した後、軒方向へ流れることなく屋根材１００の裏面にまで浸入してしまう。この結果、このような第一折返部１０２および切欠部１０４を有する屋根材１００は、漏水（雨漏り）を引き起こすという構造上の問題がある。
【００３５】
また、上述した特許文献１のように下はぜと共に長手方向下はぜの右側下端が折り返されてしまう場合には、折り目が袋状となり、ここに雨水などの水が溜ってしまう。
【００３６】
これに対し、本実施形態における横葺屋根材１は、切欠部３４が上はぜ２０と共に裏面側に折り返される。また、切欠部３４の折返し部分は、上はぜ２０の第一折返部２１の厚さの範囲内となる。このため、切欠部３４を伝わる水は、最終的には屋根材１ａの下方に配置された他の屋根材上に伝わり、そのまま傾斜方向に沿って軒へと流れ落ちる。すなわち、折り目に水が溜ったり、屋根材１から裏面側へと伝わり、さらには屋根内部へと水が浸入したりすることがない。
【００３７】
このような本実施形態における横葺屋根材１は、長手方向に隣り合う屋根材の接続部における防水性（水密性）に優れ、雨水などの水の浸入を防止することができる。また、切欠部３４を傾斜方向上はぜ２０と共に折り返した場合であっても、隣り合う屋根材を掛け合わせ接続する際にその折り返し箇所が邪魔になることがなく、作業性にも優れた屋根材１を実現することができる。
【００３８】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００３９】
例えば、上はぜ２０の第一折返部２１と共に折り返される切欠部３４は、屋根材１の裏面まで折り返されてもよい。すなわち、切欠部３４の第一折返部３１右端側との接続位置３５は、屋根材１の裏面に位置してもよい。この場合であっても、切欠部３４に沿って水は流れ、袋状の折り目に溜ることがないため、防水性、水はけに優れた屋根材を実現することができる。
【００４０】
また、切欠部３４の外縁は、直線状であっても、曲線状であってもよい。
【符号の説明】
【００４１】
１  横葺屋根材（屋根材）
１０  傾斜方向下はぜ（下はぜ）
１１、２１、３１、４１  第一折返部
１２、３２  第二折返部
２０  傾斜方向上はぜ（上はぜ）
３０  長手方向下はぜ（下はぜ）
３４  切欠部
４０  長手方向上はぜ（右はぜ）
【図１】
0003185418.tif 000003
【図２】
0003185418.tif 000004
【図３】
0003185418.tif 000005
【図４】
0003185418.tif 000006
【図５】
0003185418.tif 000007
【図６】
0003185418.tif 000008
【図７】
0003185418.tif 000009
【図８】
0003185418.tif 000010
【図９】
0003185418.tif 000011